(57)【要約】【課題】  テーマ機能における切り替え対象の画面テーマとして不正な画面テーマがダウンロードされた場合でも、ＧＵＩ画面の操作性を確保する。【解決手段】  ダウンロードされた画面テーマ定義ファイル１０５に含まれる画面部品の色属性のうち、操作画面１０４上で互いに隣接する２つの色属性の色間距離をチェックし、色間距離が閾値より小さい場合に画面テーマの切り替えを拒絶する。【選択図】      図１
2005056198.tif 000002
【特許請求の範囲】
【請求項１】
画面テーマに従って操作画面を表示する表示手段と、
入力された画面テーマ定義ファイルに含まれる画面部品の色属性のうち、該画面部品が前記操作画面上に表示されたときに互いに隣接する２つの色属性の色間距離をチェックし、該色間距離が閾値より小さい場合に該画面テーマ定義ファイルの使用を拒絶するチェック手段と、
前記画面テーマ定義ファイルの使用が拒絶されなかったとき、前記操作画面の画面テーマを該画面テーマ定義ファイルにより指定される画面テーマに切り替える切り替え手段と
を備えることを特徴とする情報処理装置。
【請求項２】
前記チェック手段は、前記隣接する２つの色属性として、前記画面部品の文字色と背景色を選択することを特徴とする請求項１記載の情報処理装置。
【請求項３】
入力された画面テーマ定義ファイルに含まれる画面部品の色属性のうち、該画面部品が操作画面上に表示されたときに互いに隣接する２つの色属性の色間距離をチェックし、該色間距離が閾値より小さい場合に該画面テーマ定義ファイルの使用を拒絶するチェック手段と、
前記画面テーマ定義ファイルの使用が拒絶されなかったとき、前記操作画面の画面テーマを該画面テーマ定義ファイルにより指定される画面テーマに切り替える切り替え手段と
を備えることを特徴とする情報処理装置。
【請求項４】
入力された画面テーマ定義ファイルに含まれる画面部品の色属性のうち、該画面部品が操作画面上に表示されたときに互いに隣接する２つの色属性の色間距離をチェックし、
前記色間距離が閾値より小さい場合に、前記画面テーマ定義ファイルの使用を拒絶する
処理を情報処理装置に実行させることを特徴とするプログラム。
【請求項５】
画面テーマに従って操作画面を表示する情報処理装置に対して画面テーマを切り替える方法であって、
入力された画面テーマ定義ファイルに含まれる画面部品の色属性のうち、該画面部品が前記操作画面上に表示されたときに互いに隣接する２つの色属性の色間距離をチェックし、
前記色間距離が閾値より小さい場合に、前記画面テーマ定義ファイルの使用を拒絶し、
前記画面テーマ定義ファイルの使用が拒絶されなかったとき、前記操作画面の画面テーマを該画面テーマ定義ファイルにより指定される画面テーマに切り替える
ことを特徴とする画面テーマ切り替え方法。
【発明の詳細な説明】
【技術分野】
【０００１】
本発明は、操作画面の画面テーマを切り替えることのできる情報処理装置と、そのような情報処理装置における画面テーマの切り替え方法に関する。
【背景技術】
【０００２】
従来のパーソナルコンピュータには、ＧＵＩ（グラフィカル・ユーザ・インタフェース）部品からなるＧＵＩ画面を全体的に統一されたテーマ（画面テーマ）で表現し、その画面テーマを切り替える機能（テーマ機能）を備えたものがある。
【０００３】
また、携帯電話機や、ＰＨＳ（Personal Handyphone System）や、携帯情報端末（Personal Digital Assistant，ＰＤＡ）等の携帯端末装置においても高機能化が進んでおり、パーソナルコンピュータと同様の機能を実装することが望まれている。なお、パーソナルコンピュータや携帯端末装置等を全て含むものを情報処理装置と呼ぶ。
【０００４】
例えば、３８４ＫＢｐｓの高速通信が可能な携帯電話機であるＷ−ＣＤＭＡ（wideband CDMA ）端末機には、その通信速度を生かした高機能なアプリケーション（アプリケーションプログラム）の搭載が求められる。アプリケーションが高機能になると、従来のようにリストで選択するだけのＧＵＩでは、操作性が悪い上に見た目にも貧相である。そこで、Ｗ−ＣＤＭＡ端末機上に、パーソナルコンピュータ等で一般的なタブ、ボタン、プログレスバー等のＧＵＩコントロール（ＧＵＩ部品）を用意し、それらを用いて豊かな表現を実現するアプリケーションを作成することが試みられている。
【０００５】
ところで、携帯電話機は若年層から会社重役にまでおよぶ幅広い層において使用される製品であり、それらのすべての層の嗜好に合うような単一のデザインの画面テーマを提供するのは大変困難である。しかし、各ユーザ層の嗜好に合わせてデザインを変更した携帯電話機を提供することは、コストの問題があり現実的ではない。
【０００６】
しかし、同じアプリケーションでも、ＧＵＩコントロールの色彩、立体感の有無、枠線の有無等を統一的に変更することにより、装飾的な高級感、機械的な機能感、文房具的な近親感等を有する各種の画面テーマを提供することが可能になる。この場合、各ユーザは、提供されたいくつかの画面テーマの中から嗜好に合ったものを選択すればよい。
【０００７】
また、携帯電話機の表示画面の見易さを損なうことなく消費電力を低減する方法として、画面上の背景の平均輝度が文字の平均輝度より小さくなるように、背景および文字の輝度を補正する方法がある（例えば、特許文献１参照）。さらに、ブラウン管等の画面表示装置において、文字色と背景色が同一色となって文字が見にくくなることを避けるために、背景色の輝度を文字色の輝度より小さく設定する方法もある（例えば、特許文献２参照）。
【０００８】
【特許文献１】特開２００２−１９９０７８号公報
【特許文献２】特開平０２−２２４５７７号公報
【発明の開示】
【発明が解決しようとする課題】
【０００９】
しかしながら、上述した携帯電話機におけるテーマ機能には、次のような問題がある。
ユーザが嗜好に合った画面テーマを設定できるように、画面テーマの各種属性を定義するファイル（画面テーマ定義ファイル）のダウンロードを許した場合、悪意のある第三者により不正な画面テーマが携帯電話機に設定されてしまう可能性がある。
【００１０】
不正な画面テーマとは、背景色と文字色が同一色の画面テーマ等である。このような画面テーマが一旦設定されてしまうと、表示文字等の識別が不可能になるため、携帯電話機の操作ができなくなり、他の画面テーマに切り替えて元に戻す等の操作も困難になる。しかも、選択された画面テーマの設定は不揮発性メモリ（フラッシュメモリ）上に保存されるため、端末のリセットを行っても元に戻ることはない。
【００１１】
本発明の課題は、テーマ機能における切り替え対象の画面テーマとして不正な画面テーマがダウンロードされた場合でも、ＧＵＩ画面の操作性を失わない情報処理装置と、そのような情報処理装置における画面テーマの切り替え方法を提供することである。
【課題を解決するための手段】
【００１２】
図１は、本発明の情報処理装置の原理図である。図１の情報処理装置は、表示手段１０１、チェック手段１０２、および切り替え手段１０３を備える。表示手段１０１は、画面テーマに従って操作画面１０４を表示する。チェック手段１０２は、入力された画面テーマ定義ファイル１０５に含まれる画面部品の色属性のうち、その画面部品が操作画面１０４上に表示されたときに互いに隣接する２つの色属性の色間距離をチェックし、色間距離が閾値より小さい場合に画面テーマ定義ファイル１０５の使用を拒絶する。切り替え手段１０３は、画面テーマ定義ファイル１０５の使用が拒絶されなかったとき、操作画面１０４の画面テーマを画面テーマ定義ファイル１０５により指定される画面テーマに切り替える。
【００１３】
情報処理装置の外部から新たな画面テーマ定義ファイル１０５が入力されると、チェック手段１０２は、そのファイルに記録されている画面部品（例えば、ＧＵＩコントロール）の色属性をチェックする。そして、文字色と背景色のように、操作画面１０４上で隣接する２つの色属性があれば、それらの属性値である色情報を用いて色間距離を計算し、色間距離が閾値より小さい場合に、入力された画面テーマ定義ファイル１０５を拒絶する。画面テーマ定義ファイル１０５に含まれるすべての隣接色属性の色間距離が閾値以上であれば、その画面テーマ定義ファイル１０５は拒絶されないので、操作画面１０４の画面テーマが新たな画面テーマに切り替えられる。
【００１４】
表示手段１０１は、例えば、後述する図２のディスプレイ２０７に対応し、チェック手段１０２および切り替え手段１０３は、例えば、図２の制御部２０３に対応する。
【発明の効果】
【００１５】
本発明によれば、文字色と背景色のような隣接する色属性であって、色間距離が極端に小さなものを含む画面テーマ定義ファイルは拒絶され、操作画面に反映されない。したがって、このような色属性を含む不正な画面テーマがダウンロードされた場合であっても、ＧＵＩ画面の操作性が失われない。
【発明を実施するための最良の形態】
【００１６】
以下、図面を参照しながら、本発明を実施するための最良の形態を詳細に説明する。
本実施形態では、次のような機能を情報処理装置に実装することにより、不正な画面テーマを拒絶する。
（１）画面テーマが与えられると、ＧＵＩコントロールの背景色と文字色等のように、隣接する色の色間距離を計算し、色間距離が一定の値より近い場合に、その画面テーマを拒絶するチェック機能を作成する。
（２）以下のタイミングで上記（１）のチェックを行い、不正な画面テーマの使用を拒絶する。
・画面テーマの作成時
・画面テーマのダウンロード時
・画面テーマの選択時
このような画面テーマのチェック機能は、以下の場所に実装することが考えられる。
（ａ）画面テーマ定義ファイルの作成を支援するアプリケーション（画面テーマ作成ツール）
（ｂ）画面テーマ定義ファイルを提供するサーバ（画面テーマ提供サーバ）
（ｃ）サーバから画面テーマ定義ファイルをダウンロードして使用する端末装置
上記（ａ）および／または（ｂ）にチェック機能を実装すれば、不正な画面テーマの作成を防止することが可能である。しかし、それでも不正な画面テーマが作成されてしまった場合、それを拒絶できるのは（ｃ）の情報処理装置上にチェック機能を実装した場合のみである。
【００１７】
また、色間距離の計算方法としては、光の３原色であるＲＧＢを用いて、単純に背景色のＲＧＢと文字色のＲＧＢの３次元ユークリッド距離を計算する方法が考えられる。しかし、人間は主に輝度（明度）の差に基づいて画像の境界を認識するので、背景色と文字色の輝度の差を色間距離として用いる方が適切である。
【００１８】
図２は、上述のようなチェック機能を実装した情報処理装置の一例である、携帯端末装置（より具体的には携帯電話機を示す）の構成図である。図２の携帯端末装置は、アンテナ２０１、通信処理部２０２、制御部２０３、記憶部２０４、スピーカ２０５、マイク２０６、ディスプレイ２０７、および操作ボタン等の操作部２０８からなる。
【００１９】
アンテナ２０１は、無線ネットワークから情報を受信したり、無線ネットワークに情報を送信したりする。通信処理部２０２は、無線通信に必要な処理を行う。スピーカ２０５は、音声の出力に用いられ、マイク２０６は、音声の入力に用いられる。ディスプレイ２０７は、音声以外の操作画面、テキスト、画像等の出力情報を出力し、操作部２０８は、ユーザからの指示の入力に用いられる。
【００２０】
記憶部２０４は、フラッシュメモリ（ＲＯＭ（Read Only Memory））を含み、画面テーマチェックプログラム２１１を含む各種アプリケーションプログラムと、画面テーマ定義ファイル２１２等のデータを格納する。制御部２０３は、ＣＰＵ（中央処理装置）およびＲＡＭ（Random Access Memory）を含み、記憶部２０４に格納されたプログラムおよびデータを用いて端末全体の動作を制御する。
【００２１】
ユーザの指示に基づいて無線ネットワークから新たな画面テーマ定義ファイルがダウンロードされると、制御部２０３は、画面テーマチェックプログラム２１１を起動してその画面テーマ定義ファイルが不正なものか否かをチェックする。そして、ダウンロードされた画面テーマ定義ファイルが不正なものでなければ、それを画面テーマ定義ファイル２１２として記憶部２０４に格納し、そのファイルのデータに従って現在の画面テーマを新たな画面テーマに変更する。
【００２２】
なお、画面テーマチェックプログラム２１１は、メモリカード、フレキシブルディスク、ＣＤ−ＲＯＭ（Compact Disk Read Only Memory ）、光ディスク、光磁気ディスク等の任意のコンピュータ読み取り可能な記録媒体を介して、携帯端末にインストールすることができる。また、携帯端末装置は、無線ネットワークを介して、サーバ等の外部の装置から画面テーマチェックプログラム２１１をダウンロードすることもできる。このとき、外部の装置は、画面テーマチェックプログラム２１１を搬送する搬送信号を生成し、無線ネットワーク上の伝送媒体を介して携帯端末装置に送信する。
【００２３】
図３は、画面テーマに従ってディスプレイ２０７の画面上に表示されるＧＵＩコントロールの例を示している。ボタン（Ｂｕｔｔｏｎ）３０１は、特定の操作をユーザが指示するために用いられ、プログレスバー（ＰｒｏｇｒｅｓｓＢａｒ）３０２は、時間のかかる処理の進捗状況をユーザに知らせるために使用され、タブ（ＴＡＢ）３０３は、１つのウィンドウ内で複数の画面を切り替えるために用いられる。
【００２４】
これらのＧＵＩコントロールを含むＧＵＩ画面の画面テーマ定義ファイルには、例えば、図４のようなデータが含まれる。図４の画面テーマ定義ファイルには、各ＧＵＩコントロールの名称と、各ＧＵＩコントロールが有する属性の名称と、各属性の番号、種別、相補関係、および属性値が記録されている。属性番号は、属性の識別情報であり、属性種別は、属性値のデータ種別を表す。
【００２５】
例えば、ボタンの表示色に関する色属性としては、Ｅｎａｂｌｅ時背景色、Ｄｉｓａｂｌｅ時背景色、Ｏｎ  Ｆｏｃｕｓ時背景色、およびフォント色が定義されている。それらの属性種別はＲＧＢとなっており、対応する属性値の欄には色情報としてＲＧＢの値が記録されている。Ｅｎａｂｌｅ時背景色は、ボタンの機能が有効であるときの背景色であり、Ｄｉｓａｂｌｅ時背景色は、ボタンの機能が無効であるときの背景色であり、Ｏｎ  Ｆｏｃｕｓ時背景色は、ユーザが操作部２０８によりボタンの領域を選択したときの背景色である。また、フォント色は、ボタン上の文字の色に対応する。
【００２６】
属性の相補関係の欄は、その属性との間に相補関係を有する他の属性の有無を表しており、相補関係が存在すれば、この欄には相手属性の番号が設定される。２つの属性の間の相補関係とは、それらの属性に課された何らかの制約条件を意味する。例えば、ボタン上の文字と背景は、表示画面上で隣接関係にあってそれらの境界が認識される必要がある。したがって、文字色（フォント色）と背景色の間には、相補関係が設定される。
【００２７】
図４のボタンのＥｎａｂｌｅ時背景色、Ｄｉｓａｂｌｅ時背景色、およびＯｎ  Ｆｏｃｕｓ時背景色の相補関係の欄には、相手属性であるフォント色の属性番号“４”が記録されている。逆に、フォント色の相補関係の欄には、それらの３つの背景色の属性番号“１”、“２”、および“３”が記録されている。
【００２８】
次に、図５から図７までを参照しながら、図２の画面テーマチェックプログラム２１１を用いて行われる処理を詳細に説明する。
図５は、このような画面テーマチェック処理のフローチャートである。画面テーマチェックプログラム２１１が起動されると、制御部２０３は、まず、ダウンロードされた画面テーマ定義ファイルを読み込んで、記録されている最初のＧＵＩコントロールのデータを参照する。そして、現在の属性番号を“１”に設定して最初の属性のデータを参照し、相補関係が設定されているか否かをチェックする（ステップ５０１）。
【００２９】
相補関係が設定されていれば、次に、その対象となる最初の相手属性の属性番号を取り出し、現在の属性番号と比較する（ステップ５０２）。相手属性の属性番号が現在の属性番号より大きければ、２つの属性の輝度を計算し、得られた輝度値の差（輝度差）を求める（ステップ５０３）。ここでは、属性値として設定されているＲＧＢの値から、次式により、経験的に知られている輝度値Ｙを計算する。
Ｙ＝０．２９９Ｒ＋０．５８７Ｇ＋０．１１４Ｂ
次に、輝度差を所定の閾値と比較し（ステップ５０４）、輝度差が閾値より小さければ、ダウンロードされた画面テーマ定義ファイルは不正であると判断し、画面テーマを拒絶する処理を行う（ステップ５０５）。輝度差が閾値以上であれば、ステップ５０５の処理は行わない。
【００３０】
ステップ５０５において画面テーマを拒絶する方法としては、ダウンロードされた画面テーマ定義ファイルを破棄する方法と、文字が識別できるように画面テーマ定義ファイルを自動補正して使用する方法とが考えられる。前者の場合は、図６の画面テーマ破棄処理が行われ、後者の場合は、図７の画面テーマ補正処理が行われる。
【００３１】
図６の画面テーマ破棄処理において、制御部２０３は、ディスプレイ２０７またはスピーカ２０５から、不正な画面テーマがダウンロードされたことをユーザに通知する警告メッセージを出力する（ステップ６０１）。そして、ダウンロードされた画面テーマ定義ファイルを破棄して（ステップ６０２）、図５のチェック処理を終了する。
【００３２】
また、図７の画面テーマ補正処理において、制御部２０３は、図６のステップ６０１と同様の警告メッセージを出力し（ステップ７０１）、次式により輝度の中央値を計算する（ステップ７０２）。
輝度中央値＝（０．２９９＊２５６＋０．５８７＊２５６＋０．１１４＊２５６）／２
次に、相補関係を有する２つの属性の輝度をそれぞれ輝度中央値と比較し、一方の輝度が輝度中央値より大きいか、あるいは両方とも輝度中央値以下であるかをチェックする（ステップ７０３）。一方の輝度が輝度中央値より大きければ、輝度の小さい方の属性のＲＧＢの値を減らし（ステップ７０４）、両方とも輝度中央値以下であれば、輝度の大きい方の属性のＲＧＢの値を増やす（ステップ７０５）ことで、画面テーマ定義ファイルを補正する。そして、ダウンロードされた画面テーマ定義ファイルを補正した画面テーマ定義ファイルで置き換えて（ステップ７０６）、図５のチェック処理を継続する。
【００３３】
図５のステップ５０４または５０５の後でチェック処理を継続する場合、制御部２０３は、相補関係の欄に別の相手属性の属性番号が設定されているか否かをチェックし、そのような属性番号が設定されていれば、その相手属性についてステップ５０２以降の処理を繰り返す。すべての相手属性についてのチェックが終了すると、現在の属性番号を１だけインクリメントし、次の属性についてステップ５０１以降の処理を繰り返す。そして、最初のＧＵＩコントロールのすべての属性についてのチェックが終了すると、次のＧＵＩコントロールについて同様の処理を行う。
【００３４】
こうして、ダウンロードされた画面テーマ定義ファイルのすべてのＧＵＩコントロールについてのチェックが終了した時点で、画面テーマが拒絶されなかった場合は、その画面テーマ定義ファイルが記憶部２０４に格納されて新たな画面テーマが設定される。
【００３５】
しかし、いずれかのＧＵＩコントロールのいずれかの属性について輝度差が閾値より小さいと判定されると、文字が識別不可能とみなされて画面テーマが拒絶される。このとき、図６の処理により画面テーマ定義ファイルが破棄されれば、現在の画面テーマが継続して使用される。したがって、ＧＵＩ画面の操作性は失われない。
【００３６】
また、図７の処理により画面テーマ定義ファイルが補正されれば、チェック終了時には、補正された画面テーマ定義ファイルが記憶部２０４に格納され、新たな画面テーマが設定される。この場合も、文字が識別可能な画面テーマが設定されるので、ＧＵＩ画面の操作性は失われない。
【００３７】
以上説明した実施形態では、主として画面テーマのチェック機能を携帯端末装置に実装した場合について説明したが、デスクトップのパーソナルコンピュータのような他の端末装置にも、同様のチェック機能を実装することが可能である。また、チェック機能を画面テーマ作成ツールや画面テーマ提供サーバに実装した場合も、同様の効果を得ることができる。
【００３８】
（付記１）  画面テーマに従って操作画面を表示する表示手段と、
入力された画面テーマ定義ファイルに含まれる画面部品の色属性のうち、該画面部品が前記操作画面上に表示されたときに互いに隣接する２つの色属性の色間距離をチェックし、該色間距離が閾値より小さい場合に該画面テーマ定義ファイルの使用を拒絶するチェック手段と、
前記画面テーマ定義ファイルの使用が拒絶されなかったとき、前記操作画面の画面テーマを該画面テーマ定義ファイルにより指定される画面テーマに切り替える切り替え手段と
を備えることを特徴とする情報処理装置。
（付記２）  前記チェック手段は、前記隣接する２つの色属性として、前記画面部品の文字色と背景色を選択することを特徴とする付記１記載の情報処理装置。
（付記３）  前記チェック手段は、前記色間距離として、前記隣接する２つの色属性の輝度の差を計算することを特徴とする付記１記載の情報処理装置。
（付記４）  前記チェック手段は、前記色間距離が前記閾値より小さい場合に、前記画面テーマ定義ファイルを破棄することを特徴とする付記１記載の情報処理装置。
（付記５）  前記チェック手段は、前記色間距離が前記閾値より小さい場合に、前記隣接する２つの色属性のうち一方の色情報を変更することで前記画面テーマ定義ファイルを補正し、前記切り替え手段は、前記操作画面の画面テーマを補正された画面テーマ定義ファイルにより指定される画面テーマに切り替えることを特徴とする付記１記載の情報処理装置。
（付記６）  入力された画面テーマ定義ファイルに含まれる画面部品の色属性のうち、該画面部品が操作画面上に表示されたときに互いに隣接する２つの色属性の色間距離をチェックし、該色間距離が閾値より小さい場合に該画面テーマ定義ファイルの使用を拒絶するチェック手段と、
前記画面テーマ定義ファイルの使用が拒絶されなかったとき、前記操作画面の画面テーマを該画面テーマ定義ファイルにより指定される画面テーマに切り替える切り替え手段と
を備えることを特徴とする情報処理装置。
（付記７）  入力された画面テーマ定義ファイルに含まれる画面部品の色属性のうち、該画面部品が操作画面上に表示されたときに互いに隣接する２つの色属性の色間距離をチェックし、
前記色間距離が閾値より小さい場合に、前記画面テーマ定義ファイルの使用を拒絶する
処理を情報処理装置に実行させることを特徴とするプログラム。
（付記８）  情報処理装置のためのプログラムを記録した記録媒体であって、
該プログラムは、
入力された画面テーマ定義ファイルに含まれる画面部品の色属性のうち、該画面部品が操作画面上に表示されたときに互いに隣接する２つの色属性の色間距離をチェックし、
前記色間距離が閾値より小さい場合に、前記画面テーマ定義ファイルの使用を拒絶する
処理を前記情報処理装置に実行させることを特徴とする記録媒体。
（付記９）  情報処理装置のためのプログラムを搬送する搬送信号であって、
該プログラムは、
入力された画面テーマ定義ファイルに含まれる画面部品の色属性のうち、該画面部品が操作画面上に表示されたときに互いに隣接する２つの色属性の色間距離をチェックし、
前記色間距離が閾値より小さい場合に、前記画面テーマ定義ファイルの使用を拒絶する
処理を前記情報処理装置に実行させることを特徴とする搬送信号。
（付記１０）  画面テーマに従って操作画面を表示する情報処理装置に対して画面テーマを切り替える方法であって、
入力された画面テーマ定義ファイルに含まれる画面部品の色属性のうち、該画面部品が前記操作画面上に表示されたときに互いに隣接する２つの色属性の色間距離をチェックし、
前記色間距離が閾値より小さい場合に、前記画面テーマ定義ファイルの使用を拒絶し、
前記画面テーマ定義ファイルの使用が拒絶されなかったとき、前記操作画面の画面テーマを該画面テーマ定義ファイルにより指定される画面テーマに切り替える
ことを特徴とする画面テーマ切り替え方法。
【図面の簡単な説明】
【００３９】
【図１】本発明の情報処理装置の原理図である。
【図２】携帯端末装置の構成図である。
【図３】ＧＵＩコントロールを示す図である。
【図４】画面テーマ定義ファイルを示す図である。
【図５】画面テーマチェック処理のフローチャートである。
【図６】画面テーマ破棄処理のフローチャートである。
【図７】画面テーマ補正処理のフローチャートである。
【符号の説明】
【００４０】
１０１  表示手段
１０２  チェック手段
１０３  切り替え手段
１０４  操作画面
１０５、２１２  画面テーマ定義ファイル
２０１  アンテナ
２０２  通信処理部
２０３  制御部
２０４  記憶部
２０５  スピーカ
２０６  マイク
２０７  ディスプレイ
２０８  操作部
２１１  画面テーマチェックプログラム
３０１  ボタン
３０２  プログレスバー
３０３  タブ
【図１】
2005056198.tif 000003
【図２】
2005056198.tif 000004
【図３】
2005056198.tif 000005
【図４】
2005056198.tif 000006
【図５】
2005056198.tif 000007
【図６】
2005056198.tif 000008
【図７】
2005056198.tif 000009